(57)【要約】      （修正有）【課題】ブログサイト間のリンク関係だけでなく、リンク関係にあるブログサイトについての特徴語を表示することが可能なサイト間リンク提示システムを提供する。【解決手段】ユーザー端末からブログサイトを指定されると、サイト間リンク提示システムは、指定されたサイトＡ、およびリンク関係にあるサイトＢ、サイトＣ、サイトＤのサイト名をそれぞれ抽出した後、ブログサイトを示す絵柄とともにサイト名を配置し、ブログサイト間にリンクがあることを示すリンク線を配置することによりリンク関係画面を生成し、これをユーザー端末に提示する。この状態で、ユーザー端末において、リンク線を指定すると、サイト間リンク提示システムは、指定されたリンク線で結ばれた２つのサイトの共通語を抽出し、リンク関係画面上に提示する。【選択図】図５
2008310476.tif 000002
【特許請求の範囲】
【請求項１】
複数の各サイトについて、当該サイトが有する記事、当該サイトと他のサイトとのリンク関係についての情報を記憶したサイト情報記憶手段と、
指定されたサイトについての他のサイトとのリンク関係を、サイト間を所定の線分で結ぶことにより提示するリンク関係提示手段と、
前記サイト情報記憶手段を参照し、リンク関係にある複数のサイトの特徴語を関連語として抽出する関連語抽出手段と、
前記抽出された関連語を前記リンク関係と対応付けて記憶する関連語記憶手段と、
前記サイト間を結んだ線分が指定された場合に、当該線分で示されるリンク関係に対応する関連語を、前記関連語記憶出手段から抽出して提示する関連語提示手段と、
を有することを特徴とするサイト間リンク提示システム。
【請求項２】
前記関連語抽出手段は、前記リンク関係にある複数の各サイトに共通して含まれる特徴語である共通語を関連語として抽出するものであることを特徴とする請求項１に記載のサイト間リンク提示システム。
【請求項３】
前記関連語抽出手段は、前記リンク関係画面に表現されるリンク関係についてのみ、関連語を作成するものであることを特徴とする請求項１または請求項２に記載のサイト間リンク提示システム。
【請求項４】
複数の各サイトについて、当該サイトが有する記事、当該サイトと他のサイトとのリンク関係についての情報を記憶したサイト情報記憶手段と、
指定されたサイトについての他のサイトとのリンク関係を、前記サイト間を所定の線分で結ぶことにより提示するリンク関係提示手段と、
前記サイト情報記憶手段を参照し、各サイトの特徴語を抽出する特徴語抽出手段と、
前記抽出された特徴語を前記記憶する特徴語記憶手段と、
前記リンク関係画面において、サイトが指定された場合に、当該指定されたサイトに対応する特徴語を、前記特徴語記憶出手段から抽出して提示する特徴語提示手段と、
を有することを特徴とするサイト間リンク提示システム。
【請求項５】
前記特徴語抽出手段は、前記リンク関係画面に表現されるサイトについてのみ、特徴語を作成するものであることを特徴とする請求項４に記載のサイト間リンク提示システム。
【請求項６】
インターネット上に公開されたサイトに関する情報を収集する収集サーバにおいて、アクセスしてきたユーザー端末に対して、リンク関係にあるサイト間の関連語を提示する方法であって、
指定されたサイトについての他のサイトとのリンク関係を、サイト間を所定の線分で結ぶことにより提示するリンク関係提示段階と、
各サイトに関する情報を記憶したサイト情報記憶手段を参照し、リンク関係にある複数のサイトの特徴語を関連語として抽出して関連語記憶手段に記憶する段階と、
前記サイト間を結んだ線分が指定された場合に、当該線分で示されるリンク関係に対応する関連語を、前記関連語記憶出手段から抽出して提示する段階と、
を有することを特徴とするサイト間リンク提示方法。
【発明の詳細な説明】
【技術分野】
【０００１】
本発明は、コンピュータネットワーク上でリンク関係を有するサイトについての特徴語を提示するための技術に関する。
【背景技術】
【０００２】
近年、インターネット技術の普及・高度化に伴い、個人間での情報流通コストが低下すると共に利便性が向上した結果、コミュニティサイトや掲示板、Ｗｅｂｌｏｇ（個人が運営する日記サイトであり、略して「ブログ（Ｂｌｏｇ）」とも呼ばれる。）といった、いわゆるＣ２Ｃ型のコンテンツ流通が活発になってきている。
【０００３】
ブログを公開したサイトであるブログサイトにおいては、コンテンツ（記事）のサマリー情報をＲＳＳ（RDF Site Summary、Rich Site Summary、Really Simple Syndication等の略）という形式で記述し、公開することが一般に行われており、このＲＳＳをＲＳＳリーダーと呼ばれるクライアントアプリケーションを利用することで定期巡回し、追加・更新があった場合には、クライアントに通知を行うことが可能になっている。
【０００４】
最近では、このＲＳＳを利用して、ブログサイトから記事を収集して公開するブログ収集サイトも登場しており、利用者は、インターネット上の存在する膨大なブログサイトを直接閲覧するのではなく、まず、ブログ収集サイトで面白そうなブログサイトを探し、興味があれば、直接そのブログサイトにアクセスするということも行われている。
【０００５】
また、ブログ収集サイトは、ＲＳＳを利用してブログサイトから記事を収集する際に、リンク情報も同時に収集し、そのリンク関係をブログ収集サイト内で表示する機能を有しており（特許文献１参照）、利用者は、ブログサイト間のリンク関係を一目で把握できるようになっている。
【特許文献１】特開２００６−３４３８２７号公報
【発明の開示】
【発明が解決しようとする課題】
【０００６】
ブログサイトに限らず、サイト間のリンク関係は、一方のサイトの管理者が他方のサイトにリンクを張る作業を行うことにより形成される。このため、理論上は、内容的に全く関係のないサイト間でもリンク関係が形成されることもあるが、通常、内容的に共通するものとなっていることが多い。しかしながら、上記従来のブログ収集サイト等では、サイト間にリンク関係があることのみを表示しており、リンク関係にあるサイトの特徴が把握できないという問題がある。
【０００７】
そこで、本発明は、サイト間のリンク関係だけでなく、リンク関係にあるサイトについての特徴語を表示することが可能なサイト間リンク提示システムおよび方法を提供することを課題とする。
【課題を解決するための手段】
【０００８】
上記課題を解決するため、本発明第１の態様では、複数の各サイトについて、当該サイトが有する記事、当該サイトと他のサイトとのリンク関係についての情報を記憶したサイト情報記憶手段と、指定されたサイトについての他のサイトとのリンク関係を、サイト間を所定の線分で結ぶことにより提示するリンク関係提示手段と、前記サイト情報記憶手段を参照し、リンク関係にある複数のサイトの特徴語を関連語として抽出する関連語抽出手段と、前記抽出された関連語を前記リンク関係と対応付けて記憶する関連語記憶手段と、前記サイト間を結んだ線分が指定された場合に、当該線分で示されるリンク関係に対応する関連語を、前記関連語記憶出手段から抽出して提示する関連語提示手段を有するサイト間リンク提示システムを提供する。
【０００９】
また、本発明第２の態様では、複数の各サイトについて、当該サイトが有する記事、当該サイトと他のサイトとのリンク関係についての情報を記憶したサイト情報記憶手段と、指定されたサイトについての他のサイトとのリンク関係を、前記サイト間を所定の線分で結ぶことにより提示するリンク関係提示手段と、前記サイト情報記憶手段を参照し、各サイトの特徴語を抽出する特徴語抽出手段と、前記抽出された特徴語を前記記憶する特徴語記憶手段と、前記リンク関係画面において、サイトが指定された場合に、当該指定されたサイトに対応する特徴語を、前記特徴語記憶出手段から抽出して提示する特徴語提示手段を有するサイト間リンク提示システムを提供する。
【発明の効果】
【００１０】
本発明によれば、指定されたサイトについてのリンク関係を提示する一方、リンク関係にある複数のサイトの関連語を抽出し、リンク関係が指定された場合に、そのリンク関係に対応する関連語を提示するようにしたので、サイト間のリンク関係とともに、リンク関係にあるサイトに関連する特徴を把握することが可能となる。
【００１１】
また、本発明によれば、指定されたサイトについてのリンク関係を提示する一方、リンク関係を有するサイトの特徴語を抽出し、サイトが指定された場合に、そのサイトの特徴語を提示するようにしたので、サイト間のリンク関係とともに、リンク関係を有するサイトの特徴を把握することが可能となる。
【発明を実施するための最良の形態】
【００１２】
（１．第１の実施形態）
以下、本発明の好適な実施形態について図面を参照して詳細に説明する。図１は、本発明第１の実施形態に係るサイト間リンク提示システムの構成図である。図１において、１０はサイト情報記憶手段、２０は関連語抽出手段、３０は関連語記憶手段、４０はリンク関係提示手段、５０は関連語提示手段、１００はサイト間リンク提示システム、２００はユーザー端末である。図１に示すように、サイト間リンク提示システム１００とユーザー端末２００は、インターネット等のネットワークを介してデータの送受信が可能なように接続されている。
【００１３】
サイト間リンク提示システム１００は、サイト情報記憶手段１０、関連語抽出手段２０、関連語記憶手段３０、リンク関係提示手段４０、関連語提示手段５０を有している。サイト情報記憶手段１０は、インターネット上におけるブログサイトに関する情報を蓄積した記憶手段である。ブログサイトに関する情報としては、各ブログサイトに含まれる記事の文書データ、他のブログサイトへのリンク、他のブログサイトからのリンクが記録されている。関連語抽出手段２０は、サイト情報記憶手段１０に記憶された情報を参照し、リンク関係にある２つのブログサイトに共通に含まれる語である関連語を抽出し、関連語記憶手段３０に記憶させる機能を有している。関連語記憶手段３０は、リンクと対応付けて関連語を記憶する機能を有している。リンク関係提示手段４０は、サイト情報記憶手段１０に記憶されたリンク情報をもとに、指定されたサイトとリンクを有するサイトについての関係を示すリンク関係画面を生成し、このリンク関係画面をユーザー端末２００に提示する機能を有している。関連語提示手段５０は、リンク関係画面上のリンクを示す線分が指定された場合に、そのリンクに対応する関連語を関連語記憶手段３０から抽出して、ユーザー端末２００に提示する機能を有している。
【００１４】
サイト間リンク提示システム１００は、現実には、インターネットからアクセス可能なコンピュータに、サイト情報記憶手段１０、関連語抽出手段２０、関連語記憶手段３０、リンク関係提示手段４０、関連語提示手段５０を実現するプログラムを組み込むことにより、実現される。ユーザー端末２００は、インターネットにアクセス可能であるとともに、Ｗｅｂページを表示可能なＷｅｂブラウザを搭載した汎用のコンピュータで実現される。
【００１５】
次に、図１に示したシステムの処理動作について説明する。図１に示したサイト間リンク提示システム１００は、単独でも実現可能であるが、ブログ収集サイトを実現するコンピュータであるブログ収集サーバと連携して、あるいはブログ収集サーバの一部として機能するような態様で実現することも可能である。本実施形態では、ブログ収集サーバの一部として機能する場合を想定して説明することとする。
【００１６】
ブログ収集サーバには、ＲＳＳの機能を利用して、インターネット上の多数のブログサイトから、そのブログサイトに関する情報が送信されてくる。送信されてきた情報は、サイト情報記憶手段１０に蓄積される。ＲＳＳは、ブログサイト内の情報だけでなく、そのリンク情報も扱う形式となっているため、サイト情報記憶手段１０にはリンク情報も蓄積される。具体的には、ＲＳＳのAタグを利用して、ブログ収集サーバがリンク情報を認識し、蓄積することになる。ここで、サイト情報記憶手段１０に記憶された主な情報の一例を図２に示す。ブログサイトには、通常多数の記事（日記）が記録されており、各記事単位で他のブログサイトの記事とのリンクが張られている。図２の例では、例えば、サイトＡは記事Ａ１から記事Ａ３の３つの記事を有していることを示している。また、図２では省略しているが、サイト情報記憶手段１０には、各記事について、他のブログサイトの記事とのリンク情報が記録されている。
【００１７】
サイト情報記憶手段１０に情報が蓄積された状態で、一般の利用者は、ユーザー端末２００からブログ収集サイトにアクセスして、面白そうなブログサイトを探すことができる。ブログ収集サイトには、ブログを探すための様々な機能が用意されている。具体的には、所定の評価手法による得点に基づいたランキングを表示したり、キーワード検索により該当したものを表示したりする機能を有している。そして、１つのブログサイトをユーザー端末２００から選択し、リンク関係を表示する旨を指示すると、サイト間リンク提示システム１００では、リンク関係提示手段４０が、リンク関係画面を生成し、これをユーザー端末２００に送信する。
【００１８】
リンク関係提示手段４０がリンク関係画面を生成する処理としては、まず、ユーザー端末２００により指定されたブログサイトについてのリンク情報を、サイト情報記憶手段１０を参照して取得する。ここで、リンク情報としては、指定されたブログサイト内の記事からリンクを張っているもの（これを「リンク」と呼ぶ）、そのブログサイト内の記事に対して他のブログサイトからリンクが張られているもの（これを「被リンク」と呼ぶ）がある。あるブログサイト内の記事と他のブログサイト内の記事においてリンクと被リンクの双方が設定されている場合には、「相互リンク」の状態となる。
【００１９】
そして、指定されたブログサイト、およびリンク関係にあるブログサイトのサイト名をそれぞれ抽出した後、ブログサイトを示す絵柄とともにサイト名を配置し、ブログサイト間にリンクがあることを示す所定の線分（以下、「リンク線」という。）を配置する。なお、ブログサイト間のリンク関係については、いずれかの記事が他のブログサイトとリンクしていればリンク関係にあるものとしている。リンク関係画面を実現するリンク関係画面データには、リンク線の表示領域とリンク関係が対応付けて記録されるとともに、リンク線の表示領域が指定された場合には、対応するリンク関係についての情報をサイト間リンク提示システム１００に送信する命令が記述される。本実施形態では、リンク関係画面データをＨＴＭＬ形式で作成している。したがって、リンク関係提示手段４０がリンク関係画面データをユーザー端末２００に送信すると、ユーザー端末２００では、Ｗｅｂブラウザの機能により、リンク関係画面として表示する。
【００２０】
このとき、ユーザー端末２００の表示装置に表示されるリンク関係画面の様子を図３に示す。図３は、「サイトＡ」についてのリンク関係画面を示すものである。図３に示すリンク関係画面のほぼ中央には、サイトＡの指標を示すサイトマークＳＭが表示されるとともに、その上部にサイト名「サイトＡ」が表示されている。サイトマークＳＭは、そのサイトの指標を分かり易く表現したものであり、例えば、上部に評価値、下部に更新頻度を示すなどして、２つの指標を同時に把握できるものである。
【００２１】
図３の例では、サイトＡに対してリンク関係があるサイトは「サイトＢ」、「サイトＣ」、「サイトＤ」の３つであることを示している。利用者から指定されたサイトであるサイトＡとリンク関係を有するサイトは、そのサイト名が、リンク関係があることを示す線分であるリンク線を介して、サイトＡのサイトマークＳＭと結ばれている。なお、図３に示したリンク線では、リンク、被リンク、相互リンクの区別は行っていないが、実際には、線分の色によって区別したり、線分の先に矢印を付けたり、リンクの方向にアニメーションで流れの動きをつける等、リンクの種類を明示し、区別するようにすることも可能である。さらに、リンク、被リンク、相互リンクの量に応じて線分の太さを変えたり、線分の数を増やす等、リンクの量を区別することも可能である。
【００２２】
サイトＢ、サイトＣ、サイトＤについては、そのサイト名の下部に評価値を示す星印が付されており、この星印の数が多いほど評価が高いサイトであることを示している。サイトＡ〜サイトＤの全てのサイト名には、サイト情報記憶手段１０内の、対応するサイト情報へのリンクが設定されており、リンク関係画面上でサイト名をクリックすることにより、そのサイトの詳細情報が閲覧可能になっている。なお、図３において、サイトＢの左に示した矢印は、カーソルを示している。
【００２３】
一般の利用者が、１つのブログサイトをユーザー端末２００から選択し、リンク関係を表示する旨を指示した際、サイト間リンク提示システム１００では、リンク関係提示手段４０がリンク関係画面を生成するのと並行して、関連語抽出手段２０がサイト情報記憶手段１０を参照し、指定されたブログサイトとリンクが設定されたブログサイトの記事から関連語の抽出を行う。関連語とは、どちらかのブログサイト中の記事に特に関連の高い特徴語を示す。本実施形態では、どちらのブログサイト中の記事にも共通して含まれる特徴語を共通語と定義し、この共通語を関連語として抽出する。各ブログサイトについての特徴語抽出は、文書頻度の指標TF/IDF（参考文献：Gerard Salton, Michael J. McGill: Introduction to. Modern Information  Retrieval, McGraw-Hill, 1983）、名詞の連結と頻度解析（参考文献：中川裕志、森辰則、湯本紘彰: "出現頻度と連接頻度に基づく専門用語抽出",自然言語処理、Vol.10 No.1, pp. 27 - 45, 2003年1月 ）等の公知の技術を採用している。そして、２つのブログサイトから抽出された特徴語のうち、両方のブログサイトに共通するものを共通語（関連語）として抽出する。関連語抽出手段２０は、抽出した共通語を、そのリンク情報と対応付けて関連語記憶手段３０に記憶させる。共通語の抽出対象は、本実施形態では、リンク関係にある記事同士としている。例えば、記事Ａ１と記事Ｂ２がリンク関係にある場合には、記事Ａ１、記事Ｂ２からそれぞれ特徴語を抽出し、共通する特徴語を共通語として抽出する。ここで、図３に示したようなリンク関係画面が表示された場合に、関連語記憶手段３０に記憶される情報を図４に示す。この場合、図４に示すように、サイトＡ−サイトＢの共通語、サイトＡ−サイトＣの共通語、サイトＡ−サイトＤの共通語が生成され、記憶されることになる。
【００２４】
ユーザー端末２００の表示装置にリンク関係画面が表示された状態で、マウス等の操作により、カーソルをリンク線を含む所定の領域に移動させると、ユーザー端末２００は、ＯＳおよびＷｅｂブラウザの機能により、まず、カーソルがリンク線を含む所定の領域に入ったことを検出する。そして、その領域に対応するリンク関係の情報をサイト間リンク提示システム１００に送信する。
【００２５】
サイト間リンク提示システム１００では、ユーザー端末２００からリンク関係についての情報を受信すると、関連語提示手段５０が、そのリンク関係で関連語記憶手段３０を参照し、対応する共通語を抽出する。さらに、関連語提示手段５０は、抽出した共通語を用いて共通語表示データを作成する。共通語表示データの形式は、特に限定されないが、本実施形態ではＨＴＭＬ形式で作成する。続いて、関連語提示手段５０は、作成した共通語表示データをリンク関係情報と対応付けてユーザー端末２００に送信する。
【００２６】
ユーザー端末２００では、受信したリンク関係情報で、対応する表示位置を特定し、同時に受信した共通語表示データを特定した表示位置に表示する処理を行う。これにより、そのリンク関係に対応するリンク線付近に共通語が配置された状態で表示されることになる。このとき、ユーザー端末２００の表示装置に表示されるリンク関係画面の様子を図５に示す。図５に示すように、カーソルを移動させたリンク線（サイトＡとサイトＣ間のリンク線）の付近に、吹き出し形状の領域が表示され、その内部に共通語が表示されている。本実施形態では、共通語表示データは、このような吹き出し形状で作成される。なお、表示位置は、必ずしもリンク線付近にする必要はなく、リンク関係画面データもしくは共通語表示データに直接表示位置を記述しておき、その位置に表示させるようにしても良い。
【００２７】
利用者が、マウス等の操作により、カーソルをリンク線を含む所定の領域の外に移動させると、ユーザー端末２００は、ＯＳおよびＷｅｂブラウザの機能により、共通語表示データの表示を中止する処理を行う。このため、吹き出し形状の領域が画面から消え、図３に示した状態に戻ることになる。以上のように、利用者は、リンク線付近にカーソルを移動させるだけで、そのリンク線で結ばれた２つのブログサイトの共通語を知ることができ、また、共通語の表示が煩わしいときは、リンク線付近からカーソルを離して、共通語の表示を消すことができる。
【００２８】
上記第１の実施形態においては、関連語として、両ブログサイト中の記事に共通して含まれる共通語を抽出するようにしたが、共通語以外のものを抽出するようにしても良い。この場合、例えば両ブログサイトの特徴語を合計して、数多く出現する語を関連語として抽出するようにしても良い。
【００２９】
（２．第２の実施形態）
次に、本発明第２の実施形態に係るサイト間リンク提示システムについて説明する。上記第１の実施形態は、リンク線を指定したときに、そのリンクで結ばれた両サイトの共通語を関連語として表示するようにしたが、第２の実施形態では、サイトを指定したときに、そのサイト内で他のサイトとリンク関係にある記事の特徴語を表示するようにしたことを特徴とする。
【００３０】
図６は、本発明第２の実施形態に係るサイト間リンク提示システムの構成図である。図６において、１０はサイト情報記憶手段、２１は特徴語抽出手段、３１は特徴語記憶手段、４０はリンク関係提示手段、５１は特徴語提示手段、１０１はサイト間リンク提示システム、２００はユーザー端末である。図６に示すように、サイト間リンク提示システム１０１とユーザー端末２００は、インターネット等のネットワークを介してデータの送受信が可能なように接続されている。
【００３１】
サイト情報記憶手段１０、リンク関係提示手段４０、ユーザー端末２００は、図１に示したものと同一の機能を有するものである説明は省略する。特徴語抽出手段２１は、サイト情報記憶手段１０に記憶された情報を参照し、指定されたブログサイト内で、他のブログサイトとリンク関係にある記事から特徴語を抽出し、特徴語記憶手段３１に記憶させる機能を有している。特徴語記憶手段３１は、ブログサイトと対応付けてその特徴語を記憶する機能を有している。特徴語提示手段５１は、リンク関係画面上に表示されたサイト名が指定された場合に、指定されたブログサイトに対応する特徴語を特徴語記憶手段３１から抽出して、ユーザー端末２００に提示する機能を有している。
【００３２】
サイト間リンク提示システム１０１は、現実には、インターネットからアクセス可能なコンピュータに、サイト情報記憶手段１０、特徴語抽出手段２１、特徴語記憶手段３１、リンク関係提示手段４０、特徴語提示手段５１を実現するプログラムを組み込むことにより、実現される。
【００３３】
次に、図６に示したシステムの処理動作について説明する。図６に示したサイト間リンク提示システム１０１は、図１に示した第１の実施形態と同様、単独でも実現可能であるが、ブログ収集サイトを実現するコンピュータであるブログ収集サーバと連携して、あるいはブログ収集サーバの一部として機能するような態様で実現することも可能である。本実施形態でも、第１の実施形態と同様、ブログ収集サーバの一部として機能する場合を想定して説明することとする。
【００３４】
図２に示したように、サイト情報記憶手段１０に情報が蓄積された状態で、一般の利用者は、ユーザー端末２００からブログ収集サイトにアクセスした後、１つのブログサイトをユーザー端末２００から選択し、リンク関係を表示する旨を指示すると、サイト間リンク提示システム１０１では、リンク関係提示手段４０が、リンク関係画面を生成し、これをユーザー端末２００に送信する。これにより、図３に示したようなリンク関係画面がユーザー端末２００の表示装置に表示されることになる。
【００３５】
一般の利用者が、１つのブログサイトをユーザー端末２００から選択し、リンク関係を表示する旨を指示した際、サイト間リンク提示システム１０１では、リンク関係提示手段４０がリンク関係画面を生成するのと並行して、特徴語抽出手段２１がサイト情報記憶手段１０を参照し、指定されたブログサイト、および指定されたブログサイトとリンクが設定された各ブログサイトについて、リンクが設定されている記事から特徴語の抽出を行う。各ブログサイトからの特徴語抽出の処理は、第１の実施形態における関連語抽出手段２０における処理と同一である。特徴語抽出手段２１は、抽出した特徴語を、そのサイトと対応付けて特徴語記憶手段３１に記憶させる。ここで、図３に示したようなリンク関係画面が表示された場合に、特徴語記憶手段３１に記憶される情報を図７に示す。図７に示すように、各サイトに対応付けて特徴語が記憶されることになる。
【００３６】
ユーザー端末２００の表示装置にリンク関係画面が表示された状態で、マウス等の操作により、カーソルをサイト名に移動させると、ユーザー端末２００は、ＯＳおよびＷｅｂブラウザの機能により、カーソルがサイト名を含む所定の領域に入ったことを検出し、対応するサイト名の情報をサイト間リンク提示システム１０１に送信する。
【００３７】
サイト間リンク提示システム１０１では、サイト名の情報を受信すると、特徴語提示手段５１が、そのサイト名で特徴語記憶手段３１を参照し、対応する特徴語を抽出する。さらに、特徴語提示手段５１は、抽出した特徴語を用いて特徴語表示データを作成する。特徴語表示データの形式も、特に限定されないが、本実施形態ではＨＴＭＬ形式で作成する。続いて、特徴語提示手段５１は、作成した特徴語表示データをユーザー端末２００に送信する。
【００３８】
ユーザー端末２００では、受信した特徴語表示データを対応するサイト名上に配置して表示する処理を行う。この結果、ユーザー端末２００の画面上では、リンク関係画面上に特徴語が表示されることになる。このとき、ユーザー端末２００の表示装置に表示されるリンク関係画面の様子を図８に示す。図８に示すようにカーソルを移動させたサイト名の付近に、吹き出し形状の領域が表示され、その内部に特徴語が表示されている。利用者が、マウス等の操作により、カーソルをサイト名を含む所定の領域の外に移動させると、ユーザー端末２００は、ＯＳおよびＷｅｂブラウザの機能により、特徴語表示データの表示を中止する処理を行う。このため、吹き出し形状の領域が画面から消え、図３に示した状態に戻ることになる。以上のように、利用者は、サイト名付近にカーソルを移動させるだけで、そのサイトのリンクを有する記事についての特徴語を知ることができ、また、特徴語の表示が煩わしいときは、サイト名付近からカーソルを離して、特徴語の表示を消すことができる。
【００３９】
以上、２つの実施形態について説明したが、上記２つの実施形態を組み合わせた形態も可能である。すなわち、リンク関係画面が提示された状態で、リンク線が指定された場合には、対応する共通語（関連語）を提示し、サイト名が指定された場合は、対応する特徴語を提示する形態とすることも可能である。
【００４０】
また、上記実施形態では、リンク関係画面の作成の際に、共通語、特徴語を抽出して記憶しておくようにしたが、リンク関係画面の作成の前に、全てのリンク関係について共通語を抽出して記憶し、また、全てのサイトについて特徴語を抽出して記憶しておくようにしても良い。
【図面の簡単な説明】
【００４１】
【図１】本発明第１の実施形態に係るサイト間リンク提示システムの構成図である。
【図２】サイト情報記憶手段１０に記憶された情報を示す図である。
【図３】ユーザー端末２００に表示されるリンク関係画面の様子を示す図である。
【図４】関連語記憶手段３０に記憶される情報を示す図である。
【図５】共通語が表示された状態のリンク関係画面の様子を示す図である。
【図６】本発明第２の実施形態に係るサイト間リンク提示システムの構成図である。
【図７】特徴語記憶手段３１に記憶される情報を示す図である。
【図８】特徴語が表示された状態のリンク関係画面の様子を示す図である。
【符号の説明】
【００４２】
１０・・・サイト情報記憶手段
２０・・・関連語抽出手段
２１・・・特徴語抽出手段
３０・・・関連語記憶手段
３１・・・特徴語記憶手段
４０・・・リンク関係提示手段
５０・・・関連語提示手段
５１・・・特徴語提示手段
１００、１０１・・・サイト間リンク提示システム
２００・・・ユーザー端末
【図１】
2008310476.tif 000003
【図２】
2008310476.tif 000004
【図３】
2008310476.tif 000005
【図４】
2008310476.tif 000006
【図５】
2008310476.tif 000007
【図６】
2008310476.tif 000008
【図７】
2008310476.tif 000009
【図８】
2008310476.tif 000010